(57)【要約】【課題】血糖値の測定中でも、検査部位のマッサージを行って被検者の疲労やストレスを緩和可能な非侵襲式生体情報測定装置の提供。【解決手段】  血糖値測定装置１０により血糖値を測定する場合には、被検者の皮膚に一対の電極を接触させ、この一対の電極１３，１４に、測定用の交流成分を有する高周波パルスの第１の電流Ｈｆｐとマッサージを行う低周波パルスの第２の電流Ｌｆｐを交互に印加する。【選択図】  図５
2005087640.tif 000002
【特許請求の範囲】
【請求項１】
被検者の皮膚に設定した一対の部位間に高周波成分を有する第１の電流を印加して、前記被検者の生体情報に関わるインピーダンスを測定する非侵襲式生体情報測定装置であって、前記第１の電流の印加の前後の何れかにおいてマッサージを行うための低周波成分を有する第２の電流を印加することを特徴とする非侵襲式生体情報測定装置。
【請求項２】
請求項１の非侵襲式生体情報測定装置において、前記第１の電流と前記第２の電流を印加するための一対の電極を設けたことを特徴とする非侵襲式生体情報測定装置。
【請求項３】
請求項１、２のいずれかの非侵襲式生体情報測定装置において、前記第１の電流と前記第２の電流とを交互に印加することを特徴とする非侵襲式生体情報測定装置。
【発明の詳細な説明】
【技術分野】
【０００１】
本発明は、例えば、血糖値等の生体情報を非侵襲式により測定する非侵襲式生体情報測定装置に関する。
【背景技術】
【０００２】
従来の血糖値を測定する血糖値測定装置としては、注射針等により被検者の指等から採血し、採血した血液により血糖値を測定するものが広く市販されている。この血糖値測定装置では、個人毎に血糖値とインピーダンスとの特定を把握するキャリブレーションが行われ、このキャリブレーションにより測定されたインピーダンスに基づいて血糖値の測定が行われている。
【発明の開示】
【発明が解決しようとする課題】
【０００３】
しかしながら、上述の血糖値をインピーダンスの相関関係を個人毎に把握するキャリブレーションには、例えば１０時間等の長時間を要するので、被検者の疲労やストレスが大きいという問題がある。（例えば、特許文献１、２参照）
【特許文献１】特表平１１−５０５４５２号公報
【特許文献２】特開平１１−３４２１２３号公報
【課題を解決するための手段】
【０００４】
上記課題を解決するために、本願の第１の非侵襲式生体情報測定装置は、被検者の皮膚に設定した一対の部位間に高周波成分を有する第１の電流を印加して、前記被検者の生体情報に関わるインピーダンスを測定する非侵襲式生体情報測定装置であって、前記第１の電流の印加の前後の何れかにおいてマッサージを行うための低周波成分を有する第２の電流を印加することを特徴とする。
【０００５】
本願の第２の非侵襲式生体情報測定装置は、前記第１の非侵襲式生体情報測定装置において、前記第１の電流と前記第２の電流を印加するための一対の電極を設けたことを特徴とする。
【０００６】
本願の第３の非侵襲式生体情報測定装置は、前記第１、第２のいずれかの非侵襲式生体情報測定装置において、前記第１の電流と前記第２の電流とを交互に印加することを特徴とする。
【発明の効果】
【０００７】
本願の第１の発明によれば、血糖値の測定中でも、検査部位のマッサージをすることができるので、被検者の疲労やストレスを緩和できる。
【０００８】
本願の第２の発明によれば、一対の電極により生体情報を計測することと、マッサージを行うことができ、小型化に有利である。
【０００９】
本願の第３の発明によれば、一対の電極により、生体情報の計測とマッサージと交互に行うために、構成が簡単であり、両者を同時に行う場合に較べてノイズが少なくより精度を向上できる。
【発明を実施するための最良の形態】
【００１０】
以下、本発明の最良の形態にかかる非侵襲式生体情報測定装置を示す。この非侵襲式生体情報測定装置は図１に示す血糖値測定装置１０である。生体情報は血糖値濃度であり、測定対象は血中のグルコース濃度である。図２に示すように、血糖値測定装置１０は一対の電極１３，１４を備えている。血糖値を測定する場合には、被検者の皮膚に一対の電極を接触させ、この一対の電極に、図５に示す測定用の交流成分を有する第１の電流Ｈｆｐとマッサージを行う第２の電流Ｌｆｐを交互に印加する。第１の電流Ｈｆｐは高周波パルスであり、第２の電流Ｌｆｐは低周波パルスである。
【００１１】
通電したときのインピーダンスにより血中のグルコース濃度を非侵襲式で測定する方法としては、特表２００２−５０１８０２号公報に記載され、研究もなされている。
【実施例】
【００１２】
以下、この発明に係る血糖値測定装置の実施例を図面に基づいて説明する。図１および図２において、１０は腕時計式の血糖値測定装置であり、この血糖値測定装置１０は、本体１１と、この本体１１を腕に装着させるリストバンド１２とを備えている。本体１１の裏面には互いに所定距離離間した２つの電極１３,１４が設けられており、本体１１の表面（上面）１１Ａの一端には開閉可能な蓋１５が装着されている。
【００１３】
本体１１の表面１１Ａには、本体１１に内蔵された時計２２（図３参照）の時間を表示する表示器１６と、測定した血糖値を表示する表示器１７と、点滅して警告表示する警告表示器１８と、操作部１９とが設けられている。操作部１９には、各種の操作を行う操作スイッチＳ1〜Ｓnが設けられている。表示器１６には、内蔵された時計２２の時間が表示されるので、通常腕時計として使用することができる。
【００１４】
蓋１５の裏面には液晶からなる表示器２０が設けられており、この表示器２０は後述するメモリに記憶された測定データ（血糖値）を図４に示すように測定グラフＧ1にして表示するとともに、基準データである境界型の基準グラフＧ2を表示するようになっている。正常の人であれば血糖値の変化はグラフＧ1に示すようになるが、糖尿病に近づくと基準グラフＧ2のようになっていく。
【００１５】
図３は、血糖値測定装置１０の制御系の構成を示したブロック図である。図３において、２１は電極１３,１４間に電流を流してその電極１３,１４間に流れる電流値から血糖値を測定する血糖値測定手段であり、この血糖値測定手段２１は特表２００２−５０１８０２号公報に記載されているものと同一であるので、その構成の説明は省略する。２２は内蔵された時計、２３は血糖値測定手段２１によって測定された測定データを記憶するメモリ、２４はメモリ２３に記憶された測定データを転送する通信手段である。
【００１６】
３０はＣＰＵ等から構成されている制御装置であり、この制御装置３０は、操作部１９の操作スイッチＳ1〜Ｓnの操作などに基づいて血糖値測定手段２１,表示器１６〜１８,通信手段２４などを制御するようになっている。そして、血糖値測定手段２１,メモリ２２,通信手段２４などは本体１１内に設けられている。
【００１７】
次に、上記のように構成される血糖値測定装置１０の動作を説明する。
【００１８】
先ず、リストバンド１２によって本体１１を腕に装着する。この装着により本体１１の裏面に設けられた一対の電極１３,１４は腕の皮膚に接触することになる。
【００１９】
そして、蓋１５を開けて、操作部１９のスイッチＳを操作して測定開始時間や何分毎に測定を行うか等を設定する。そして、スタートスイッチＳを操作して蓋１５を閉じる。
【００２０】
測定開始時間になると、制御装置３０は血糖値測定手段２１を動作させる。血糖値測定手段２１は電極１３,１４間に高周波パルスの電流（第１の電流）を流して血糖値の測定を行う。この測定によって得られた血糖値（測定値）はメモリ２３に記憶されるとともに、その測定値は表示器１７に表示される。
【００２１】
図５は、電極１３，１４に印加する高周波パルスと低周波パルスの波形を示す。図５に示すように、第１の電流となる高周波パルスＨｆｐを印加した後の所定時間経過後に、マッサージのための低周波パルスＬｆｐ（第２の電流）を印加し、更に、低周波パルスの印加した後の所定時間経過後に、再度高周波パルスＨｆｐを電極１３，１４間に印加する。このように、高周波パルスＨｆｐと低周波パルスＬｆｐとを交互に電極１３，１４に印加することを繰り返す。高周波パルスＨｆｐの周波数は数ｋＨｚ〜数ＧＨｚであり、低周波パルスの周波数Ｌｆｐは１Ｈｚ〜１２００Ｈｚである。
【００２２】
これによって、血糖値の測定中でも、検査部位のマッサージをすることができるので、被検者の疲労やストレスを緩和できる。また、一対の電極により生体情報を計測することと、マッサージを行うことを交互に行うために、両者を同時に行う場合に較べてノイズが少なくより精度を向上できる。
【００２３】
そして、設定した所定時間経過毎に制御装置３０は血糖値測定手段２１を動作させて血糖値の測定を行っていき、その測定した血糖値がメモリ２３に記憶されていく。このメモリ２３に記憶された最新の血糖値が表示器１７に表示される。また、制御装置３０はメモリ２３に記憶された血糖値に基づいて、図４に示すようにグラフＧ1を作成して表示器２０に表示していく。
【００２４】
メモリ２３に記憶されたデータを例えば携帯電話に転送するには、図示しないコード或いはコネクタで本体１１と携帯電話とを接続する。そして、データ通信のための操作スイッチＳを操作するとメモリ２３に記憶されたデータが読み出され、このデータが通信手段２４によって携帯電話に転送される。携帯電話に転送されたデータはその携帯電話により例えば病院等に送信することができる。この送信により、通院しなくても医師が血糖値の経時変化を把握することができ、医師から適切なアドバイスを受けることができる。
【００２５】
このように、リストバンド１２によって本体１１を腕に装着しているだけで、設定した時間毎に電極１３,１４間に高周波パルスＨｆｐを流して血糖値を自動的に測定できるので、生体から血液を採血する必要がないと共に、測定中低周波パルスＬｆｐでマッサージを行うので、被検者に不快感を与えてしまうことがない。しかも、設定した時間毎に自動的に血糖値が測定されていくことにより、被検者は血糖値を測定する時間を意識する必要がなく、自宅で測定することができ、被検者に無理な負担を掛けてしまうことがない。さらに、１日のうち何回も自動的に測定することができるので、被検者に負担を掛けずに血糖値の経時変化を見ることができる。
【００２６】
上記実施形態では、本体１１の裏面に２つの電極１３,１４を設けているが、リストバンド１２の裏面に設けても良い。また、表示器２０を蓋１５の裏面に設けているが、本体１１の表面１１Ａに設け、操作部１９を蓋１５の裏面に設けてもよい。
【００２７】
上記実施形態では、腕に装着する血糖値測定装置１０について説明したが、他の人体の部分に装着するようにしてもよい。
【産業上の利用可能性】
【００２８】
本発明にかかる生体情報測定装置は、血糖値を測定する血糖値測定装置等に適用することが出来るほかに、生体が示すインピーダンスに関わる生体情報を得ることができる。
【図面の簡単な説明】
【００２９】
【図１】この発明に係る血糖値測定装置を示した斜視図である。
【図２】図１に示す血糖値測定装置の本体の裏面を示した説明図である。
【図３】血糖値測定装置の制御系の構成を示したブロック図である。
【図４】表示器に表示される血糖値のグラフを示した説明図である。
【図５】一対の電極に印加する測定用高周波パルスとマッサージ要諦集はパルスの波形図である。
【符号の説明】
【００３０】
１１ 本体
１２ リストバンド
１３ 電極
１４ 電極
１７ 表示器
２０ 表示器
２２ 時計
２３ メモリ
２４ 通信手段
Ｈｆｐ  高周波パルス（第１の電流）
Ｌｆｐ  低周波パルス（第２の電流）
【図１】
2005087640.tif 000003
【図２】
2005087640.tif 000004
【図３】
2005087640.tif 000005
【図４】
2005087640.tif 000006
【図５】
2005087640.tif 000007